(57)【特許請求の範囲】
【請求項１】
印刷物を用いたコンテンツ配信サービス方法であって、以下の
１）端末Ａにおいてサービスアップを起動し、イメージを選択するステップ、
２）アップ画面において選択されたイメージの上に複数のコンテンツを編集するステップ、
３）前記端末Ａが前記イメージ及びコンテンツの編集情報をサーバー側に転送するステップ、
４）前記サーバーが前記イメージ及びコンテンツの編集情報を保存し、保存情報を前記端末Ａ側に転送するステップ、
５）前記端末Ａが前記保存情報を記録した所定の認識コードを生成し、前記イメージに埋め込むステップ、
６）前記端末Ａが、前記認識コードの埋め込まれたイメージを印刷機器側に転送して印刷するステップ、
７）端末Ｂにおいてサービスアップを起動し、オフラインで配信された印刷物において認識コードを認識して前記保存情報を検出するステップ、
８）検出された前記保存情報により前記端末Ｂが前記サーバーにアクセスした後、前記サーバーから前記イメージ及びコンテンツの編集情報を転送されるステップ、および
９）前記端末Ｂが転送された編集情報により前記イメージ及び編集されたコンテンツを表現または起動するステップ、を含み、
前記ステップ９）では、前記コンテンツは時系列的にイメージの上に重ね合わせて表現または起動されることを特徴とする印刷物を用いたコンテンツ配信サービス方法。
【請求項２】
前記コンテンツは、テキスト、サウンド、イモティコン、２次元（２Ｄ）アニメーション、３次元（３Ｄ）アニメーション、ステッカー及び動画のうちの少なくともいずれか一つを含み、
ユーザーが選択されたイメージの上に前記コンテンツを編集するように、前記アップ画面には、テキスト入力モード、サウンド入力モード、イモティコン入力モード、２次元（２Ｄ）アニメーション入力モード、３次元（３Ｄ）アニメーション入力モード、ステッカー入力モード及び動画入力モードのうちの少なくともいずれか一つが提供されることを特徴とする請求項１に記載の印刷物を用いたコンテンツ配信サービス方法。
【請求項３】
前記コンテンツの編集情報は、前記コンテンツの種類、内容、サイズ、角度、カラー、起動順序、座標情報及びプライオリティのうちの少なくともいずれか一つ以上を含むことを特徴とする請求項１に記載の印刷物を用いたコンテンツ配信サービス方法。
【請求項４】
前記認識コードに記録される前記保存情報は、前記イメージまたはコンテンツの編集情報が保存された前記サーバーの保存所の通し番号または前記サーバーのＵＲＬ情報を含むことを特徴とする請求項１に記載の印刷物を用いたコンテンツ配信サービス方法。
【請求項５】
前記端末Ａのアップ画面においてパスワードを設定するステップがさらに付加され、
前記端末Ｂのアップ画面において前記サーバーにアクセスを許容するパスワードを入力するステップがさらに付加されることを特徴とする請求項１に記載の印刷物を用いたコンテンツ配信サービス方法。
【請求項６】
前記ステップ２）において前記イメージの上にコンテンツを編集した後、これを前記端末Ａに保存するステップがさらに付加されることを特徴とする請求項１に記載の印刷物を用いたコンテンツ配信サービス方法。
【請求項７】
印刷物を用いたコンテンツ配信サービス方法であって、以下の
１）端末Ａにおいてサービスアップを起動し、イメージを選択するステップ、
２）アップ画面において選択されたイメージの上に複数のコンテンツを編集するステップと、
３）前記端末Ａが前記コンテンツの編集情報をサーバー側に転送するステップ、
４）前記サーバーが前記コンテンツの編集情報を保存し、保存情報を前記端末Ａ側に転送するステップ、
５）前記端末Ａが前記保存情報を記録した所定の認識コードを生成し、前記イメージに埋め込むステップ、
６）前記端末Ａが、前記認識コードの埋め込まれたイメージを印刷機器側に転送して印刷するステップ、
７）前記印刷機器において印刷された印刷物をオフラインで配信するステップと、
８）端末Ｂにおいてサービスアップを起動し、前記印刷物のイメージを取得し、前記印刷物において前記認識コードを認識するステップ、
９）前記認識コードに記録された前記保存情報を検出し、端末Ｂが前記検出された保存情報により前記サーバーにアクセスした後、前記サーバーから前記コンテンツの編集情報を転送されるステップ、および
１０）前記端末Ｂが、取得された前記印刷物のイメージを表示し、転送された編集情報により前記コンテンツを表現または起動するステップ、を含み、
前記ステップ１０）では、前記コンテンツは時系列的にイメージの上に重ね合わせて表現または起動されることを特徴とする印刷物を用いたコンテンツ配信サービス方法。
【請求項８】
前記コンテンツは、テキスト、サウンド、イモティコン、２次元（２Ｄ）アニメーション、３次元（３Ｄ）アニメーション、ステッカー及び動画のうちの少なくともいずれか一つを含み、
ユーザーが選択されたイメージの上に前記コンテンツを編集するように、前記アップ画面には、テキスト入力モード、サウンド入力モード、イモティコン入力モード、２次元（２Ｄ）アニメーション入力モード、３次元（３Ｄ）アニメーション入力モード、ステッカー入力モード及び動画入力モードのうちの少なくともいずれか一つが提供されることを特徴とする請求項７に記載の印刷物を用いたコンテンツ配信サービス方法。
【請求項９】
前記コンテンツの編集情報は、前記コンテンツの種類、内容、サイズ、角度、カラー、起動順序、座標情報及びプライオリティのうちの少なくともいずれか一つ以上を含むことを特徴とする請求項７に記載の印刷物を用いたコンテンツ配信サービス方法。
【請求項１０】
前記認識コードに記録される前記保存情報は、前記コンテンツの編集情報が保存された前記サーバーの保存所の通し番号または前記サーバーのＵＲＬ情報を含むことを特徴とする請求項７に記載の印刷物を用いたコンテンツ配信サービス方法。
【請求項１１】
前記端末Ａのアップ画面においてパスワードを設定するステップがさらに付加され、
前記端末Ｂのアップ画面において前記サーバーにアクセスを許容するパスワードを入力するステップがさらに付加されることを特徴とする請求項７に記載の印刷物を用いたコンテンツ配信サービス方法。
【請求項１２】
前記ステップ２）において前記イメージの上にコンテンツを編集した後、これを端末Ａに保存するステップがさらに付加されることを特徴とする請求項７に記載の印刷物を用いたコンテンツ配信サービス方法。
【発明の詳細な説明】
【技術分野】
【０００１】
本発明は、印刷物を用いたコンテンツ配信サービス方法に係り、さらに詳しくは、サービス加入者Ａがイメージとともに配信しようとするコンテンツを編集し、これをコード化して印刷することにより、コンテンツが印刷物それ自体には表示されていないが、サービス加入者Ｂが印刷物の認識コードを復号化させることにより、編集されたコンテンツをイメージとともに確認することのできる印刷物を用いたコンテンツ配信サービス方法に関する。
【背景技術】
【０００２】
ＱＲコード（登録商標）は、クイックレスポンスコードの略字であり、日本のデンソーウェーブ社の登録商標であるＱｕｉｃｋ  Ｒｅｓｐｏｎｓｅに由来したものである。従来より主として汎用されてきたバーコードの容量制限を補い、形式及び内容を拡張した２次元バーコードである。このコードを携帯電話やスマートフォン認識器を用いてスキャンすると、自動的に情報が提供されるホームページに接続される。数字、漢字、アルファベットなど文字データはもとより、動画まで保存可能であるというメリットがあるため、企業の広報手段として活用されている。数字は最大で７，０８９字、文字は最大で４，２９６字、漢字などのアジア文字は最大で１，８１７字まで保存される。
【０００３】
バーコードは、一方向にのみ情報を有しているのに対し、ＱＲコードは、横、縦の２方向に情報を有することから、記録可能な情報量が飛躍的に増大された。
【０００４】
ここ数年で急速にて普及されたスマートフォンは、モバイル通信及びパソコンの機能運営体系の実装、アプリケーションの駆動、インターネット接続機能を結合して我々の実生活に一部になった。
【０００５】
また、スマートフォンのアプリケーション（以下、「アップ」と称する。）は、その数を列挙できないほど様々に開発され、且つ、進化を重ねていることから、実生活に役立つアイデアで多くの利便性を提供している。
【０００６】
スマートフォンの普及及びスマートフォンアプリケーションの開発は、次から次へと拡大されているが、ＱＲコードの普及や利用技術は、それが有している有用性及び実用度に比べて未だ満足いかないレベルに留まっている。従来の技術は、ＱＲコードをスキャンしたときに単に指定ウェブに接続し、入力された情報を閲覧するレベルに留まっている。
【発明の概要】
【発明が解決しようとする課題】
【０００７】
本発明は、上述した問題を解消するために案出されたものであり、その目的は、サービス加入者Ａがイメージとともに配信しようとするコンテンツを編集し、これをコード化して印刷することから、印刷物それ自体には編集したコンテンツが表現されない印刷物を用いたコンテンツ配信サービス方法を提供することにある。
【０００８】
本発明の他の目的は、サービス加入者Ａから印刷物を配信されたサービス加入者Ｂが印刷物の認識コードを復号化してイメージとともにサービス加入者Ａが編集したコンテンツを確認することのできる印刷物を用いたコンテンツ配信サービス方法を提供することにある。
【０００９】
本発明のさらに他の目的は、サービス加入者Ａが選択したイメージそれ自体はサーバーに保存せず、オフラインで配信された印刷物からイメージをキャプチャしてサーバーの容量負荷を顕著に軽減することのできる印刷物を用いたコンテンツ配信サービス方法を提供することにある。
【課題を解決するための手段】
【００１０】
上述した技術的課題を解消するために、本発明による印刷物を用いたコンテンツ配信サービス方法は、１）端末Ａにおいてサービスアップを起動し、イメージを選択するステップと、２）アップ画面において選択されたイメージの上にコンテンツを編集するステップと、３）前記端末Ａが前記イメージ及びコンテンツの編集情報をサーバー側に転送するステップと、４）前記サーバーが前記イメージ及びコンテンツの編集情報を保存し、保存情報を前記端末Ａ側に転送するステップと、５）前記端末Ａが前記保存情報を記録した所定の認識コードを生成し、前記イメージに埋め込むステップと、６）前記端末Ａが、前記認識コードの埋め込まれたイメージを印刷機器側に転送して印刷するステップと、を含む。
【００１１】
また、好ましくは、本発明の実施形態による印刷物を用いたコンテンツ配信サービス方法は、７）端末Ｂにおいてサービスアップを起動し、オフラインで配信された印刷物において認識コードを認識して前記保存情報を検出するステップと、８）検出された前記保存情報により前記端末Ｂが前記サーバーにアクセスした後、前記サーバーから前記イメージ及びコンテンツの編集情報を転送されるステップと、９）前記端末Ｂが転送された編集情報により前記イメージ及び編集されたコンテンツを表現または起動するステップと、を含む。
【００１２】
また、本発明の他の実施形態による印刷物を用いたコンテンツ配信サービス方法は、１）端末Ａにおいてサービスアップを起動し、イメージを選択するステップと、２）アップ画面において選択されたイメージの上にコンテンツを編集するステップと、３）前記端末Ａが前記コンテンツの編集情報をサーバー側に転送するステップと、４）前記サーバーが前記コンテンツの編集情報を保存し、保存情報を前記端末Ａ側に転送するステップと、５）前記端末Ａが前記保存情報を記録した所定の認識コードを生成し、前記イメージに埋め込むステップと、６）前記端末Ａが、前記認識コードの埋め込まれたイメージを印刷機器側に転送して印刷するステップと、を含む。
【００１３】
また、好ましくは、７）前記印刷機器において印刷された印刷物をオフラインで配信するステップと、８）端末Ｂにおいてサービスアップを起動し、前記印刷物のイメージを取得し、前記印刷物において前記認識コードを認識するステップと、９）前記認識コードに記録された前記保存情報を検出し、端末Ｂが前記検出された保存情報により前記サーバーにアクセスした後、前記サーバーから前記コンテンツの編集情報を転送されるステップと、１０）前記端末Ｂが、取得された前記印刷物のイメージを表示し、転送された編集情報により前記コンテンツを表現または起動するステップと、を含む。
【００１４】
さらに、好ましくは、前記コンテンツは、テキスト、サウンド、イモティコン、２次元（２Ｄ）アニメーション、３次元（３Ｄ）アニメーション、ステッカー及び動画のうちの少なくともいずれか一つを含む。
【００１５】
さらにまた、好ましくは、ユーザーが選択されたイメージの上に前記コンテンツを編集するように、前記アップ画面には、テキスト入力モード、サウンド入力モード、イモティコン入力モード、２次元（２Ｄ）アニメーション入力モード、３次元（３Ｄ）アニメーション入力モード、ステッカー入力モード及び動画入力モードのうちの少なくともいずれか一つが提供される。
【００１６】
さらにまた、好ましくは、端末Ａのアップ画面にはパスワード設定メニューが提供される。
【００１７】
さらにまた、好ましくは、端末Ｂのアップ画面にはパスワード入力ウィンドウが提供される。
【００１８】
さらにまた、好ましくは、前記コンテンツの編集情報は、前記コンテンツの種類、内容、サイズ、角度、カラー、起動順序、座標情報及びプライオリティのうちの少なくともいずれか一つ以上を含む。
【００１９】
さらにまた、好ましくは、前記認識コードに記録される前記保存情報は、前記イメージまたはコンテンツの編集情報が保存された前記サーバーの保存所の通し番号または前記サーバーのＵＲＬ情報を含む。
【００２０】
さらにまた、好ましくは、前記端末Ａのアップ画面においてパスワードを設定するステップがさらに付加される。
【００２１】
さらにまた、好ましくは、前記２）ステップにおいて前記イメージの上にコンテンツを編集した後、これを端末Ａに保存するステップがさらに付加される。
【００２２】
さらにまた、好ましくは、前記サービスアップには、前記コンテンツが編集されたイメージを保存するアルバムが配備される。
【００２３】
本発明の他の実施形態による印刷物を用いたコンテンツ配信サービス方法は、１）端末Ａにおいてサービスアップを起動し、イメージを選択するステップと、２）アップ画面において選択されたイメージの上にコンテンツを編集するステップと、３）前記端末Ａが前記コンテンツの内容を記録した所定の認識コードを生成し、前記イメージに埋め込むステップと、４）前記端末Ａが、前記認識コードの埋め込まれたイメージを印刷機器側に転送して印刷するステップと、を含む。
【００２４】
また、好ましくは、本発明の他の実施形態による印刷物を用いたコンテンツ配信サービス方法は、５）前記印刷機器において印刷された印刷物をオフラインで配信するステップと、６）端末Ｂにおいてサービスアップを起動し、前記印刷物のイメージを取得するステップと、７）前記印刷物において前記認識コードを認識し、記録されたコンテンツの内容を取り出すステップと、８）前記端末Ｂが、取得された前記イメージの上に取り出された前記コンテンツを重ね合わせて表現または起動するステップと、を含む。
【００２５】
さらにまた、好ましくは、前記７）ステップは、前記認識コードのデータ領域に記録されたコンテンツの内容を取り出し、取り出された前記コンテンツの内容を端末画面に表示可能なコンテンツに変換する過程を含む。
【発明の効果】
【００２６】
本発明によれば、サービス加入者Ａがイメージとともに配信しようとするコンテンツを編集し、これをコード化して印刷することから、印刷物それ自体にはコンテンツが表現されないという効果がある。
【００２７】
サービス加入者Ａから印刷物を配信されたサービス加入者Ｂが印刷物の認識コードを復号化してイメージとともにサービス加入者Ａが編集したコンテンツを確認することができるという効果がある。
【００２８】
特に、サービス加入者Ａが選択したイメージそれ自体はサーバーに保存せず、サービス加入者Ｂはオフラインで配信された印刷物からイメージをキャプチャして表示することから、サーバーの容量負荷を顕著に軽減することができるという効果がある。
【図面の簡単な説明】
【００２９】
【図１】本発明によるコンテンツ配信サービスシステムのブロック構成図である。
【図２】本発明の一実施形態による印刷物を用いたコンテンツ配信サービス方法の動作フローチャートである。
【図３】イメージの上にコンテンツを編集し、コード化する過程を示す図である。
【図４】イメージの上にコンテンツを編集し、コード化する過程を示す図である。
【図５】イメージの上にコンテンツを編集し、コード化する過程を示す図である。
【図６】イメージの上にコンテンツを編集し、コード化する過程を示す図である。
【図７】イメージの上にコンテンツを編集し、コード化する過程を示す図である。
【図８】イメージの上にコンテンツを編集し、コード化する過程を示す図である。
【図９】コンテンツがコード化された印刷物を示す図である。
【図１０】コード化されたコンテンツを復号化してイメージとともに編集されたコンテンツを確認する過程を示す図である。
【図１１】コード化されたコンテンツを復号化してイメージとともに編集されたコンテンツを確認する過程を示す図である。
【図１２】コード化されたコンテンツを復号化してイメージとともに編集されたコンテンツを確認する過程を示す図である。
【図１３】本発明の他の実施形態による印刷物を用いたコンテンツ配信サービス方法の動作フローチャートである。
【図１４】図１３に示す実施形態により端末Ｂにおいてコンテンツを確認する過程を示す図である。
【発明を実施するための形態】
【００３０】
以下、添付図面に基づき、本発明の好適な実施形態について説明する。
【００３１】
図１は、本発明による印刷物を用いたコンテンツ配信サービスシステムのブロック構成図である。
【００３２】
図１に示すように、本発明によるコンテンツ配信サービスシステムは、ユーザーＡ端末１００（または、端末Ａ）と、印刷機器２００と、ユーザーＢ端末３００（または、端末Ｂ）及びサーバー４００を備える。
【００３３】
前記ユーザーＡ端末１００は、コンテンツ配信サービスアップが起動されると、所望のイメージ写真を選択（例えば、写真を撮影するか、またはアルバムから選択する）し、配信しようとするコンテンツを編集（入力を含む）する。編集が終わると、イメージとともにコンテンツの編集情報をサーバー４００側に転送する。
【００３４】
前記サーバー４００は、前記イメージ及びコンテンツの編集情報を特定の保存所に保存し、ユーザーＡ端末１００側に保存所の通し番号及びサーバー４００のＵＲＬアドレスなどの保存情報を転送する。
【００３５】
また、ユーザーＡ端末１００は、前記サーバー４００側から配信された保存情報が記録された認識コード（例えば、ＱＲコード、バーコードなど）を生成して前記選択された写真に埋め込む。本発明は、説明の便宜のために、前記認識コードとしてＱＲコードを適用して説明するが、これとは異なり、本発明には様々な認識コードが適用可能である。例えば、写真（イメージ）にある特定の事物の外郭線などを認識コードとして活用するか、または複数のカラーを有するバーまたは特定のパターンからなるカラーコードなどを適用する。もし、特定の事物の外郭線などを認識コードとして活用する場合には、ユーザーＡ端末１００は、認識コードを埋め込む必要がなく、写真それ自体に含まれているのである。このため、本発明において「認識コードをイメージに埋め込む」とは、「認識コードがイメージに含まれる」ことを意味する。
【００３６】
また、本発明においては、説明の便宜のために、「イメージ」と表現したが、前記イメージは、写真、ＰＤＦファイル、各種のテキストファイルなどスマート機器にて読み込み可能なあらゆるファイルを含む概念である。
【００３７】
次いで、ユーザーＡ端末１００は、前記ＱＲコードの埋め込まれたイメージ写真を前記印刷機器２００に転送して印刷する。
【００３８】
本発明の実施形態における前記印刷機器２００は、近距離無線通信手段を備える携帯用印刷機器であり、該近距離無線通信手段を介して前記ユーザーＡ端末１００からイメージを受信する。また、受信されたイメージの印刷物を出力する。
【００３９】
前記近距離無線通信手段は、ユーザー端末１００、３００との通信のためのものであり、ブルートゥース（登録商標）や無線ＩＤタグ（ＲＦＩＤ（登録商標）：Ｒａｄｉｏ  Ｆｒｅｑｕｅｎｃｙ  Ｉｄｅｎｔｉｆｉｃａｔｉｏｎ）、赤外線通信（ＩｒＤＡ：ｉｎｆｒａｒｅｄ  Ｄａｔａ  Ａｓｓｏｃｉａｔｉｏｎ）、ＵＷＢ（超広帯域）、ジグビー（登録商標）（ＩＥＥＥ  ８０２．１５．４）、ワイファイ（Ｗｉ−Ｆｉ）（登録商標）などの近距離無線通信プロトコールのうちのいずれか一つを行う。
【００４０】
しかしながら、これとは異なり、本発明によるコンテンツ配信サービスシステムにおける前記印刷機器は、事務用印刷機器であってもよく、端末Ａ１００と有線通信にてイメージを受信するようにシステムを構成することも可能である。
【００４１】
このようにして印刷された印刷物（ＱＲコードが埋め込まれた）は、オフラインでユーザーＢに配信される。
【００４２】
前記ユーザーＢ端末３００は、渡された写真（ＱＲコードが埋め込まれた印刷物）のＱＲコードをスキャンし、ＱＲコードからサーバー４００のＵＲＬ情報及び保存所（ＤＢサーバー）の通し番号を検出する。また、検出されたＵＲＬ情報を用いてサーバー４００に接続してサーバー４００内に前記通し番号を有する保存所から前記コンテンツが記録されたイメージファイルをダウンロードして画面に表現または起動する。
【００４３】
端末Ｂ３００のユーザーは、アップ画面を介して、前記イメージ写真とともに、印刷物には表現されないコンテンツを閲覧する。
【００４４】
ユーザーＢ端末３００の一連の動作は、ユーザーの入力（例えば、ボタンのタッチなど）なしに自動的に行われ、この場合、増強現実サービスとしてユーザーに提供される。
【００４５】
前記ユーザー端末１００、３００は、ノート型パソコンまたは移動通信端末（例えば、携帯電話、ＰＤＡ、スマートフォンまたはタブレットＰＣやデスクトップＰＣ）である。
【００４６】
前記ユーザー端末１００、３００は、ＱＲコード読取器、無線通信部、Ａ／Ｖ（オーディオ／ビデオ）入力部、ユーザー入力部、感知部、出力部、メモリ、インタフェース部、制御部及び電源供給部などを備える。
【００４７】
ユーザー端末１００、３００は、ＱＲコードが読み込み可能な装置またはアプリケーション（例えば、サウンドストアサービスアップ）を備えるか、またはメモリに保存する。ＱＲコードが読み込み可能なアプリケーションの場合、ユーザーが当該アプリケーションを前記サーバー２００やアプリケーションストア（以下、「アップストア」と称する。）からダウンロードしてインストールする。
【００４８】
図２から図８を参照してイメージ上に配信しようとするコンテンツを編集し、これをコード化した印刷物を生成する過程について説明する。
【００４９】
まず、サービスユーザーＡ端末１００（端末Ａ）においてコンテンツ配信サービスアップ（以下、「サービスアップ」と称する。）を起動し、シークレットビュー生成メニュー５１２をクリックすると、イメージを選択（例えば、「写真撮影」または「アルバムから選択」する案内メッセージがポップアップ表示される。一方、サービスアップのメイン画面５００には、シークレットビュー生成メニュー５１２に加えて、シークレットビューリーダー５１１と、「前へ」５１４及びごみ箱５１３がある。シークレットビューリーダー５１１は、ユーザーＢ端末３００において印刷物のＱＲコードを認識して編集されたコンテンツを確認するためのものであり、「前へ」５１４は、以前ステップに戻るためのものであり、ごみ箱５１３は、後述するシークレットビューそれ自体にあるイメージ、編集したイメージ（コンテンツ付きイメージ）を削除するためのものである（図２及び図３参照）。
【００５０】
前記アップ画面５００からイメージを選択すると、コンテンツを編集するための各種のメニューが表示される。本発明における「コンテンツを編集する」の意味は、「コンテンツを入力する」、「コンテンツを構成する」または「コンテンツを生成する」と同意である。
【００５１】
編集可能なコンテンツは、イモティコン、サウンド、テキスト、２次元（２Ｄ）アニメーション、３次元（３Ｄ）アニメーション、ステッカー及び動画などであり、このために、この実施形態においては、各種の入力モード５２１を備えるが、具体的に、イモティコン入力モード５２１ａ、サウンド入力モード５２１ｂ、テキスト入力モード５２１ｃ、電話番号入力モード５２１ｄ、ＵＲＬ入力モード５２１ｅなどを備える。
【００５２】
また、編集のためのアップ画面の右側上端には、パスワード設定メニュー５２２、保存メニュー５２３、転送メニュー５２４などが設けられる（図２及び図４参照）。
【００５３】
図５を参照してコンテンツを編集する過程を具体的に説明する。まず、イモティコン入力モード５２１ａをタッチすると、複数のイモティコンが表示され、これらのうち、ユーザーが選択したイモティコン５３１が選択されたイメージ１０の上に重なり合う。重なり合ったイモティコン５３１をドラッグしてイメージ１０の所望の位置に移動し、チルティングボタン５３１ａを用いて角度（方向）を調整して傾け、サイズ調整ボタン５３１ｃを用いてサイズを調節する。なお、削除ボタン５３１ｂをタッチして選択されたイモティコン５３１を削除することも可能である。
【００５４】
次いで、サウンド入力モード５２１ｂをタッチし、所望のサウンド（例えば、背景音楽）を挿入したり、肉声を録音して挿入したりする。このようにサウンドが入力されると、サウンド入力があることを知らせる表示部５３２が表示される。前記表示部５３２にも削除ボタンが設けられて入力されたサウンドを削除することもできる。
【００５５】
次いで、テキスト入力モード５２１ｃをタッチすると、テキストが入力可能なキーボードが表示され、これを用いて、ユーザーは、配信しようとするテキスト５３３を入力することができる。前記入力されたテキスト５３３は、サイズ及び色、フォントなどを選択し、ドラッグして位置を移し、イメージを所定の角度だけ傾ける。
【００５６】
次いで、電話番号入力モード５２１ｄをタッチすると、キーボードを用いて特定の電話番号を入力し、または端末Ａの電話番号帳にある電話番号を名前とともに読み込む。
【００５７】
次いで、ＵＲＬ入力部５２１ｅをタッチすると、キーボードを用いて特定のＵＲＬを入力することができる。
【００５８】
このような方法を用いて、ユーザーは、様々な形式及び内容を有するようにコンテンツを編集する。なお、生成されたコンテンツは、削除ボタン５３１ｃを設けて削除する。
【００５９】
コンテンツの編集が終わると、保存メニュー５２３をタッチしてユーザーＡ端末にコンテンツが編集されたイメージを１次的に保存する（図６参照）。このように保存メニュー５２３をタッチすると、ユーザーＡ端末１００にインストールされたサービスアップにある自体アルバムに保存される。このようにユーザーＡ端末１００に編集されたイメージを保存すると、後で再び読み込んで印刷することができ、次いで、コンテンツ編集をさらに行うこともできる。または、上述したように、「ごみ箱」ボタンをタッチしてアルバムに保存されているイメージを削除する。
【００６０】
一方、ユーザーＡは、アップ画面においてパスワードを設定することができるが、アップ画面においてパスワード設定メニュー５２２をタッチすると、パスワード入力ウィンドウがキーボードとともに表示され、ユーザーＡは、パスワードを入力する（図２及び図７参照）。
【００６１】
次いで、ユーザーＡがアップ画面において転送メニュー５２４をタッチすると、イメージ１０と、コンテンツ編集情報及びパスワードがサーバーに転送され、サーバー４００は、これを特定の保存所に保存する（図２及び図７参照）。前記コンテンツ編集情報は、コンテンツの種類、内容、サイズ、角度、カラー、起動順序、座標情報及びプライオリティなどを含む。
【００６２】
例えば、コンテンツがテキストである場合、その内容と、サイズ、角度（チルティング有無）、位置（座標情報）、カラー、フォントなどが転送されて保存される。
【００６３】
また、コンテンツがサウンドや動画である場合には、その内容と、起動される時間などが転送されて保存される。
【００６４】
さらに、コンテンツがイモティコンやステッカー、アニメーションである場合には、選択したイモティコンまたはステッカー、アニメーションそれ自体が転送されるわけではなく、選択したイモティコンなどの識別符号（ＩＤ）が転送、保存され、このとき、位置（座標情報）、サイズ、角度、カラーなどが一緒に転送されて保存される。
【００６５】
さらにまた、各コンテンツの移動時に表現または起動されるが、これとは異なり、各コンテンツが時系列的に表現または起動されてもよい。例えば、まず肉声ファイルが起動され、次いで、テキストが表現されるように編集されてもよい。この場合、各コンテンツのプライオリティが与えられ、このようなプライオリティもサーバーに転送されて保存される。
【００６６】
このようにイメージ１０と、コンテンツ編集情報及びパスワードがサーバー４００に転送されて保存が終わると、前記サーバー４００は、端末Ａ１００側に保存情報を転送する。端末Ａ１００側に転送される保存情報は、前記イメージ１０、コンテンツの編集情報及びパスワードが保存された前記サーバー４００の保存所の通し番号及び前記サーバーのＵＲＬ情報を含む。
【００６７】
前記端末Ａ１００は、前記保存情報を記録したＱＲコード２０を生成し、これをイメージ１０に埋め込む。
【００６８】
このような過程が行われると、端末Ａ１００のアップ画面にはプレビュー画面が表示される。プレビュー画面には印刷すべきイメージ１０（ＱＲコード付き）が表示され、このとき、アップ画面には印刷枚数が入力可能なボタン５４２及び印刷ボタン５４１が表示される（図２及び図８参照）。
【００６９】
前記端末Ａ１００において印刷ボタン５４１をタッチすると、連結された印刷機器（図１における「２００」参照）においてプレビュー画面にあるイメージ１０が印刷される。このとき、印刷機器２００は、無線通信する携帯用であってもよく、有線通信する事務用印刷機器であってもよい。
【００７０】
図９は、印刷機器において印刷した印刷物３００を示すものである。前記印刷物３００には選択されたイメージ１０にＱＲコード２０が埋め込まれていることが分かる。すなわち、配信しようとするコンテンツは、ＱＲコード２０にコード化して印刷物１０それ自体には表示されないということが分かる。ユーザーＡは、印刷物３０をユーザーＢにパスワードとともにオフラインで配信する。このとき、パスワードは、印刷物３０と同時に配信してもよく、印刷物とは別途に電話、メールなどの他の方法を用いて他の時間帯に配信してもよい。
【００７１】
以下、図２及び図１０から図１２を参照してユーザーＢがコンテンツを確認する過程について説明する。
【００７２】
まず、パスワードとともに印刷物３０を配信されたユーザーＢはサービスアップを起動し、メイン画面（図３における「５００」参照）においてシークレットビューリーダー５１１をタッチすると、端末Ｂ３００のカメラが起動されながら表示ウィンドウに四角ガイドフレーム５５１が表示される。このとき、印刷物３０を四角ガイドフレーム５５１内に位置させた後、認識ボタン５５２をタッチする（図２及び図１０参照）。
【００７３】
このような動作によりＱＲコード２０が認識されると、アップ画面においてパスワード入力ウィンドウがポップアップ表示される（図２及び図１１参照）。
【００７４】
ユーザーＢがユーザーＡから配信されたパスワードを正確に入力すると、端末Ｂ３００がサーバー４００のＵＲＬ及び保存所の通し番号などの保存情報を検出する。このようにして検出された保存情報により前記端末Ｂ３００は、前記サーバー４００にアクセスし、前記サーバー４００からイメージ及びコンテンツの編集情報を転送される。
【００７５】
これにより、端末Ｂ３００は、アップ画面にイメージ１０とともにコンテンツ５３１、５３３、５３４、５３５が重なり合って表現または起動される。すなわち、テキスト、イモティコン、アニメーション、ステッカーなどはイメージの上に表現され、サウンドや動画などもイメージとともに起動されるか、または編集された時間配列により起動される（図２及び図１２参照）。
【００７６】
また、コンテンツ中にサウンドや動画が含まれている場合、繰り返し聴取または視聴のために別途のアイコンやボタンが形成されることが好ましい。また、イメージの上に重なり合った電話番号５３４をタッチすると、当該電話番号に送信するか、またはＵＲＬ５３５をタッチすると、当該ＵＲＬに接続するように構成することも好ましい。
【００７７】
このため、ユーザーＢは、これによりイメージ１０とともにユーザーＡが編集したコンテンツ５３１、５３３、５３４、５３５を確認することが可能になる。
【００７８】
本発明の実施形態においては、印刷物を用いたパスワードコンテンツ配信サービス方法の一例として、男子（端末Ａ１００のユーザー）が女子（端末Ｂ３００のユーザー）に愛すると告白する秘密メッセージを伝える状況を演出している。
【００７９】
男子（端末Ａ１００のユーザー）は、女子（端末Ｂ３００のユーザー）と一緒に撮った写真１０の上に心を込めた秘密コンテンツ５３１、５３３、５３４、５３５を編集する。このとき、コンテンツ５３１、５３３、５３４、５３５は、文字、肉声録音、背景音楽、イモティコン、アニメーション、動画などである。このようにして編集されたコンテンツは、パスワードを設定し、サーバー４００にアップロードする。
【００８０】
また、ＱＲコード２０が埋め込まれた写真３０を印刷し、パスワードとともに女子（端末Ｂ３００のユーザー）に渡す。
【００８１】
女子（端末Ｂ３００のユーザー）は、男子（端末Ａ１００のユーザー）と一緒に撮った写真３０にあるＱＲコード２０を認識し、パスワードを正確に入力すると、男子（端末Ａ１００のユーザー）が編集したコンテンツ５３１、５３３、５３４、５３５を確認することができる。
【００８２】
このように、写真３０、印刷物それ自体にはコンテンツ５３１、５３３、５３４、５３５が表現されていないため、コンテンツ５３１、５３３、５３４、５３５を秘密のうちに渡すことができる。なお、パスワードを設定することにより、セキュリティやプライバシーの保護にも効果的である。
【００８３】
図１３は、本発明による他の実施形態のシステムのブロック構成図である。
【００８４】
図１３に示す実施形態においては、端末Ａにおいてイメージの上にコンテンツを編集した後、コンテンツの編集情報のみをサーバーに転送して保存する。換言すると、端末Ａからイメージそれ自体はサーバーに転送しない点において図２に示す実施形態とは相違点がある。このため、サーバーから端末Ｂにイメージを転送しない。その代わりに、端末Ｂは、オフラインで配信された写真をキャプチャして画面に表示する。これとともに、表示されたイメージの上にサーバーから転送されたコンテンツを重ね合わせて表示するという点で図２に示す実施形態とは相違点がある。
【００８５】
図１３を参照して本発明の他の実施形態について具体的に説明する。
【００８６】
まず、サービスユーザーＡ端末１００（端末Ａ）においてコンテンツ配信サービスアップを起動し、シークレットビュー生成メニュー５１２をクリックすると、イメージを選択する案内メッセージがポップアップ表示される（図３参照）。この状態で写真を撮影したりアルバムから写真を選択したりする。
【００８７】
次いで、前記アップ画面５００に表示された各種のメニューを活用してテキスト、イモティコン、アニメーション、サウンド、動画、ＵＲＬ、電話番号などのコンテンツを編集する（図４及び図５参照）。ここで、コンテンツを編集する過程は上述した実施形態と同様または類似であるため、その具体的な説明は省略する。
【００８８】
次いで、ユーザーＡがアップ画面においてパスワード設定メニュー５２２をタッチすると、パスワード入力ウィンドウがキーボードとともに表示され、ユーザーＡは、パスワードを入力することができる（図７参照）。
【００８９】
次いで、ユーザーＡがアップ画面において保存メニュー５２３をタッチすると、コンテンツ付きイメージがサービスアップの専用アルバムに保存される（図６参照）。
【００９０】
次いで、ユーザーＡがアップ画面において転送メニュー５２４をタッチすると、コンテンツ編集情報及びパスワードがサーバーに転送され、サーバー４００は、これを特定の保存所に保存する。上述したように、このとき、イメージそれ自体はサーバー４００に転送、保存されないというところに特徴がある。参考までに、図２に示す実施形態は、イメージもサーバー４００に転送、保存されるという点で相違点がある。このため、図１３に示す実施形態によれば、図２に示す実施形態に比べて、サーバーの容量負荷を顕著に軽減することができる。
【００９１】
このようにコンテンツ編集情報及びパスワードがサーバー４００に転送され、保存が終わると、前記サーバー４００は、端末Ａ１００側に保存情報を転送する。端末Ａ１００側に転送される保存情報は、前記コンテンツの編集情報及びパスワードが保存された前記サーバー４００の保存所の通し番号及び前記サーバーのＵＲＬ情報を含む。
【００９２】
前記端末Ａ１００は、前記保存情報を記録したＱＲコード２０を生成し、これをイメージ１０に埋め込む。
【００９３】
このような過程が行われると、端末Ａ１００のアップ画面にはプレビュー画面が表示される。プレビュー画面には、印刷すべきイメージ１０（ＱＲコード付き）が表示され、このとき、アップ画面には印刷枚数が入力可能なボタン５４２及び印刷ボタン５４１が表示される（図８参照）。
【００９４】
前記端末Ａ１００において印刷ボタン５４１をタッチすると、連結された印刷機器においてプレビュー画面にあるイメージ１０が印刷される。
【００９５】
前記印刷物３００には選択されたイメージ１０にＱＲコード２０が埋め込まれている。ユーザーＡは、印刷物３０をユーザーＢにパスワードとともにオフラインで渡す。このとき、パスワードは印刷物３０と同時に配信してもよく、印刷物とは別途に電話、メールなど他の方法を用いて他の時間帯に配信してもよい。
【００９６】
次いで、ユーザーＢが配信された印刷物３０には表示されていないコンテンツを確認する過程について説明する。
【００９７】
まず、パスワードとともに印刷物３０を配信されたユーザーＢはサービスアップを起動し、メイン画面（図３における「５００」参照）においてシークレットビューリーダー５１１をタッチすると、端末Ｂ３００のカメラが起動されながら表示ウィンドウに四角ガイドフレーム５５１が表示される。このとき、印刷物３０を四角ガイドフレーム５５１内に位置させた後、撮影及び認識ボタン５５２をタッチする（図１０参照）。
【００９８】
このような動作により前記印刷物３０のイメージを取得（キャプチャ）し、ＱＲコード２０を認識する。図２に示す実施形態は、ＱＲコード２０のみを認識し、イメージそれ自体はキャプチャしないというところに相違点がある。
【００９９】
一方、ＱＲコード２０が認識されると、アップ画面においてパスワード入力ウィンドウがポップアップ表示される（図１１参照）。
【０１００】
ユーザーＢがユーザーＡから配信されたパスワードを正確に入力すると、端末Ｂ３００がサーバー４００のＵＲＬ及び保存所の通し番号などの保存情報を検出する。このようにして検出された保存情報により前記端末Ｂ３００は、前記サーバー４００にアクセスし、前記サーバー４００からコンテンツの編集情報を転送される。一方、図２に示す実施形態は、コンテンツの編集情報だけではなく、イメージそれ自体も転送するという点で相違点がある。
【０１０１】
これにより、端末Ｂ３００は、アップ画面にキャプチャされたイメージ４０を表示し、表示されたイメージの上にコンテンツ５３１、５３３、５３４、５３５が重なり合って表現または起動される。図１４を参照すると、オフラインで配信された印刷物をキャプチャしたイメージが表示されるため、ＱＲコードが埋め込まれて表示されるということが分かる。これとは異なり、図１２においては、イメージもサーバーから転送されるため、ＱＲコードは表示されないという点で相違点がある。
【０１０２】
また、本発明の他の実施形態によるコンテンツ配信サービス方法においては、イメージの上にコンテンツを編集した後、これをサーバーに転送する代わりに、ＱＲなど認識コードに暗号化して印刷した後、認識コードを復号化してコンテンツを確認することも可能である。
【０１０３】
以下、これについてより具体的に説明する。
【０１０４】
まず、端末Ａにおいてサービスアップを起動し、イメージを選択する。
【０１０５】
次いで、アップ画面において選択されたイメージの上にコンテンツを編集する。前記コンテンツは、テキスト、サウンド、動画、イモティコン、アニメーション、ステッカーなど上述した実施形態と同様である。
【０１０６】
次いで、前記端末Ａが前記コンテンツの内容を記録した所定の認識コードを生成し、前記イメージに埋め込む。
【０１０７】
次いで、前記端末Ａが、前記認識コードの埋め込まれたイメージを印刷機器側に転送して印刷する。
【０１０８】
次いで、前記印刷機器において印刷された印刷物をオフラインで配信すると、端末Ｂにおいてサービスアップを起動し、前記印刷物のイメージをキャプチャ（取得または撮影）する。
【０１０９】
次いで、前記印刷物において前記認識コードを認識し、記録されたコンテンツの内容を取り出す。
【０１１０】
次いで、前記端末Ｂが、取得された前記イメージの上に取り出された前記コンテンツを重ね合わせて表現または起動して端末Ａにおいて編集したコンテンツを端末Ｂにおいて確認する。
【０１１１】
また、認識コードからコンテンツを取り出すことは、認識コードのデータ領域に記録されたコンテンツの内容を取り出し、取り出された前記コンテンツの内容を端末画面に表示可能なコンテンツに変換する過程により行われる。
【０１１２】
一方、端末Ａにおいて認識コードを生成するときにパスワードを設定し、この場合、端末Ｂにおいてパスワードの認証手続きを行い、認証されたパスワードが入力されたときに認識コードに記録された内容を前記撮影されたイメージの上に重ね合わせて表示する。
【０１１３】
サービス加入者Ａは、配信しようとするコンテンツを印刷物それ自体には表示されないように配信し、サービス加入者Ａから印刷物を配信されたサービス加入者Ｂは、サービス加入者Ａが編集したコンテンツを確認することができるという効果がある。
【図１】
0006260840.tif 000002
【図２】
0006260840.tif 000003
【図３】
0006260840.tif 000004
【図４】
0006260840.tif 000005
【図５】
0006260840.tif 000006
【図６】
0006260840.tif 000007
【図７】
0006260840.tif 000008
【図８】
0006260840.tif 000009
【図９】
0006260840.tif 000010
【図１０】
0006260840.tif 000011
【図１１】
0006260840.tif 000012
【図１２】
0006260840.tif 000013
【図１３】
0006260840.tif 000014
【図１４】
0006260840.tif 000015